(57)【要約】  鍵を錠装置に挿抜するという簡単な動作で錠装置の施解錠を行うことができるかばんの錠装置を提供することを目的として、本体１００と蓋１０１とからなるかばんの本体に嵌着される基枠２１０と、該基枠の一端に仰伏動可能に取り付けられた作動枠２３０とを備え、前記作動枠には、上記作動枠の仰伏動に連動して本体と蓋体との間の施解錠と作動枠の仰伏動を制御する係止部とを備えたかばんの錠装置２００において、鍵２８０を略板状のものとして形成し、該施解錠部における鍵の挿抜路２３１を前記作動枠２３０の自由端側部から固定端側へ向けて備ける共に、前記鍵の挿抜動作により前記施解錠部および係止部を駆動する錠駆動機構２５０を備えた。【特許請求の範囲】
【請求項１】
本体と蓋体とからなるかばんの本体に嵌着される基枠と、該基枠の一端に仰伏動可能に取り付けられた作動枠とを備え、 
前記作動枠には、上記作動枠の仰伏動に連動して本体と蓋体との間の施解錠と作動枠の仰伏動を制御する係止部とを備えたかばんの錠装置において、 
鍵を略板状のものとして形成し、該施解錠部における鍵の挿抜路を前記作動枠の自由端側部から固定端側へ向けて備ける共に、前記鍵の挿抜動作により前記施解錠部および係止部を駆動する錠駆動機構を備えたことを特徴とする錠装置。
【請求項２】
前記錠駆動機構は、シリンダ錠を備え、 
該シリンダ錠は、鍵の抜出しを禁止する鍵固定手段と、 
鍵の挿抜操作により作動枠と基枠との間の施解錠を行う錠止片と、 
鍵の挿入方向に配設され、前記鍵の移動により駆動される操作片と、 
これら錠止片と操作片の作動を規制する駆動手段とを備えたことを特徴とする請求項１の錠装置。 
【請求項３】
前記錠駆動機構は、鍵の挿抜方向に摺動可能な摺動部材を備え、 
該摺動部材には、前記挿抜路上に配置され前記鍵が接触する衝合片と、基枠に形成された係合孔と係合する爪体を備え、前記鍵の衝合片への接触による摺動部材の移動により、前記爪体と前記係合孔との係合を解除することを特徴とする請求項２の錠装置。
【請求項４】
前記シリンダ錠は、基枠に形成された係合部と係合して施錠状態となる爪体を供えると共に、前記鍵の挿抜方向に摺動可能な摺動部材と一体となって摺動可能とされることを特徴とする請求項２の記載の錠装置。
【請求項５】
前記シリンダ錠には前記鍵の挿抜により前記爪体を動作させ施解錠を行うカム機構を備えた請求項３または４に記載の錠装置。 
【請求項６】
前記カム機構は、溝カムが形成された板状部材と、前記溝カムに挿入され、カム部材の移動により駆動される従動部材とを備え、前記板状部材の移動による前記フォロアーピン部材の動作で前記シリンダ錠が駆動される請求項５の錠装置。
【請求項７】
前記カム機構の板状部材は、前記錠と一体に形成されている請求項６の錠装置。 
【請求項８】
前記カム機構は、最初の鍵の挿入により前記鍵を前記挿抜路内に保持すると共に前記シリンダ錠を解錠状態とし、続いての鍵の押し込みにおり前記鍵の保持を解除すると共に前記シリンダ錠を施錠状態とすることを特徴とする請求項７の錠装置。
【請求項９】
前記カム機構の板状部材は、前記錠と別部材に形成され、前記挿抜路延長に配置され、最初の鍵の挿入により前記シリンダ錠を解錠状態とし、続いての鍵の押し込みにより前記シリンダ錠を施錠状態とすることを特徴とする請求項７の錠装置。
【請求項１０】
前記カム機構は、鍵を挿入して解錠状態としたときおよび施錠状態としたとき鍵に操作感を発生させることを特徴とする請求項９の錠装置。 
【請求項１１】
前記作動枠には、前記カム機構の板状部材と連動して施解錠の状態を表示する表示手段を備えたことを特徴とする請求項９または１０の錠装置。 
【請求項１２】
表示手段として、作動枠表面には観察孔部が開設される一方、前記カム機構の板状部材に連動して移動すると共に、複数色に塗り分けられ、前記錠の状態により、前記観察孔部に異なる色を表示する色板とを備えたことを特徴とする請求項１１の錠装置。
【発明の詳細な説明】
【技術分野】
【０００１】
本発明は、かばんの錠装置に係り、特にかばん本体とこのかばん本体にヒンジで開閉可能に取り付けられた蓋体とからなるアタッシュケースや旅行用トランク等のかばんに使用される錠装置に関するものである。
【背景技術】
【０００２】
上述したタイプのかばんの錠装置として、特許文献１に記載されたものがある。図２６は従来のかばんの錠装置の構成を示した構成図であり、図２７はこの錠装置を上から視た平面図、図２８は図２６に示した錠装置に使用される錠の構成図である。【０００３】
本例に係るかばんは、図２６に示すように、本体１００と、この本体１００にヒンジで開閉可能に構成された蓋１０１とを備えてなる。そして、本体１００には、錠装置が設けられ、蓋１０１には、錠装置に係合する係合金具１０２が配設されている。【０００４】
かばんの錠装置は、本体１００に固定されているボックス状の基枠１１０と、この基枠１１０の一端側に固定端が回勅自在に支承され自由端が基枠１１０に開閉自在に構成されている作動枠１２０を備えてなる。作動枠１２０には、この作動枠１２０の閉止状態において蓋１０１の係合金具１０２に係合して蓋１０１を拘束する突片１２１が配設されている。また、作動枠１２０には、シリンダ錠１３０が配設されており、このシリンダ錠１３０は、施錠状態においては基枠１１０に係合して作動枠１２０の閉止状態を保つことによって蓋１０１の拘束状態を維持する。【０００５】
基枠１１０は、図２６に示したように中空に構成されており、この基枠１１０内において蓋１０１の係合金具１０２と作動枠１２０の突片１２１とが係合することができるように、基枠１１０の側面には、係合金具１０２が挿入可能な溝部１１１が設けられている。【０００６】
図２６において、１３１はシリンダ錠１３０の内筒である。このシリンダ錠１３０は施錠状態において内筒の下端部が基枠１１０に係合するように構成されており、シリンダ錠１３０の施解錠は、図２８に示した鍵１４０を用いて内筒１３１を水平方向で回勅させることにより行う。１３２はシリンダ錠１３０に配設された内筒係止用の磁石ピンであり、この磁石ピン１３２はコイルバネ１３３により下方向に付勢されている。図２８に示した鍵１４０には、シリンダ錠１３０の磁石ピン１３２を吸引する磁石ピン１４１が配設されている。【０００７】
作動枠１２０の自出端側には、固定端の方向即ち作動枠１２０の長手方向に移動可能な爪片１２２が配設されている。この爪片１２２は、操作ボタン１２３に連結されており、コイルバネ１２４の弾性力に抗して操作ボタン１２３を押し込んで爪片１２２を移動させることにより、基枠１１０の係合口１１２と爪片１２２との係合状態を解除することができる。【０００８】
爪片１２２と係合口１１２との係合状態が解除されると、固定端側に配設されているバネ１１３の作用により作動枠１２０の自出端は上方に開く。 【０００９】
【特許文献１】特許第3383931号公報
【発明の開示】
【発明が解決しようとする課題】
【００１０】
ところで上述した従来のかばんの錠装置においては、当該錠装置を解錠するには、鍵を錠装置に当接して回転させる動作が必要となる。このような回転動作は鍵が小さいこともあり、容易ではない。そこで、本発明は鍵を錠装置に挿抜するという簡単な動作で錠装置の施解錠を行うことができるかばんの錠装置を提供することを目的とする。【００１１】
また本発明の他の目的は、かばんの錠装置の施錠状態以外のときには鍵を錠装置と一体化させることができ、錠を紛失する可能性を著しく小さくすることができるかばんの錠装置を提供することである。【００１２】
また、本発明の他の目的は、錠装置の施解錠を鍵の挿抜で行うに際して、鍵の操作を感覚で確認しつつ行うことができるかばんの錠装置を提供することである。 【００１３】
さらに、本発明の他の目的は、鍵の操作者が錠装置の施解錠状態を視覚でも確認することができるかばんの錠装置を提供することである。 
【課題を解決するための手段】
【００１４】
上記課題を解決するための本発明の手段は以下のとおりである。請求項１の発明は、本体と蓋体とからなるかばんの本体に嵌着される基枠と、該基枠の一端に仰伏動可能に取り付けられた作動枠とを備え、前記作動枠には、上記作動枠の仰伏動に連動して本体と蓋体との間の施解錠と作動枠の仰伏動を制御する係止部とを備えたかばんの錠装置において、鍵を略板状のものとして形成し、該施解錠部における鍵の挿抜路を前記作動枠の自由端側部から固定端側へ向けて備ける共に、前記鍵の挿抜動作により前記施解錠部および係止部を駆動する錠駆動機構を備えた錠装置である。【００１５】
請求項２の発明は、請求項１の錠装置において、前記錠駆動機構は、シリンダ錠を備え、該シリンダ錠は、鍵の抜出しを禁止する鍵固定手段と、鍵の挿抜操作により作動枠と基枠との間の施解錠を行う錠止片と、鍵の挿入方向に配設され、前記鍵の移動により駆動される操作片と、これら錠止片と操作片の作動を規制する駆動手段とを備えたことを特徴とする。【００１６】
請求項３の発明は、請求項２の錠装置において、前記錠駆動機構は、鍵の挿抜方向に摺動可能な摺動部材を備え、該摺動部材には、前記挿抜路上に配置され前記鍵が接触する衝合片と、基枠に形成された係合孔と係合する爪体を備え、前記鍵の衝合片への接触による摺動部材の移動により、前記爪体と前記係合孔との係合を解除することを特徴とする請求項２のである。【００１７】
請求項４の発明は、記載の錠装置において、前記シリンダ錠は、基枠に形成された係合部と係合して施錠状態となる爪体を供えると共に、前記鍵の挿抜方向に摺動可能な摺動部材と一体となって摺動可能とされることを特徴とする。【００１８】
請求項５の発明は、請求項３または４に記載の錠装置において、前記シリンダ錠には前記鍵の挿抜により前記爪体を動作させ施解錠を行うカム機構を備えた。 【００１９】
請求項６の発明は、請求項５の錠装置において、前記カム機構は、溝カムが形成された板状部材と、前記溝カムに挿入され、カム部材の移動により駆動される従動部材とを備え、前記板状部材の移動による前記フォロアーピン部材の動作で前記シリンダ錠が駆動される。【００２０】
請求項７の発明は、請求項６の錠装置において、前記カム機構の板状部材は、前記錠と一体に形成されている。 【００２１】
請求項８の発明は、請求項７の錠装置において、前記カム機構は、最初の鍵の挿入により前記鍵を前記挿抜路内に保持すると共に前記シリンダ錠を解錠状態とし、続いての鍵の押し込みにおり前記鍵の保持を解除すると共に前記シリンダ錠を施錠状態とすることを特徴とする。【００２２】
請求項９の発明は、請求項７の錠装置において、前記カム機構の板状部材は、前記錠と別部材に形成され、前記挿抜路延長に配置され、最初の鍵の挿入により前記シリンダ錠を解錠状態とし、続いての鍵の押し込みにより前記シリンダ錠を施錠状態とすることを特徴とする。【００２３】
請求項１０の発明は、請求項９の錠装置において、前記カム機構は、鍵を挿入して解錠状態としたときおよび施錠状態としたとき鍵に操作感を発生させることを特徴とする。【００２４】
請求項１１の発明は、請求項９または１０の錠装置において、前記作動枠には、前記カム機構の板状部材と連動して施解錠の状態を表示する表示手段を備えたことを特徴とする。【００２５】
請求項１２の発明は、請求項１１の錠装置において、表示手段として、作動枠表面には観察孔部が開設される一方、前記カム機構の板状部材に連動して移動すると共に、複数色に塗り分けられ、前記錠の状態により、前記観察孔部に異なる色を表示する色板とを備えたことを特徴とする。
【発明の効果】
【００２６】
本発明によれば、鍵を錠装置に挿抜するという簡単な動作で錠装置の施解錠を行うことができる。 【００２７】
また本発明によれば、かばんの錠装置の施錠状態以外のときには鍵を錠装置と一体化させることができ、錠を紛失する可能性を著しく小さくすることができる。 【００２８】
また、本発明によれば、錠装置の施解錠を鍵の挿抜で行うに際して、解錠施錠時において、鍵から鍵を操作するものに施解錠におけるカム装置への接触力、反発力、作動時の動作振動、動作音を操作感として感じさせることができ、鍵の操作を感覚で確認しつつ行うことができる。【００２９】
さらに、本発明によれば、施解錠の状態を観察孔部に表示する色で表示することができるので、鍵の操作者は錠装置の施解錠状態を視覚でも確認することができる。 【００３０】
る。 
【発明を実施するための最良の形態】
【００３１】
以下本発明に係るかばんの錠装置の実施の形態の第１の例を説明する。図１において、１００はかばんの本体である本体、１０１はかばんの蓋であり、蓋１０１には係合金具１０２が配設されており、この係合金具１０２は、基軸２０を介して基枠１０に固定端が回勅自在に支承されている作動枠３０の突片（不図示）に係合する。基枠１０の側面には、係合金具１０２が挿入可能な溝部１１が設けられている。基枠１０の内側には、作動枠３０に配設されているシリンダ錠（不図示）と施錠時において係合する係止突部１２が設けられている。また基枠１０の端部には、作動枠３０に移動自在に装着されている爪片（不図示）に係合する係合口１３が設けられている。【００３２】
以上説明した本実施例１に係る錠装置の基本的構成は先に説明した従来からある一般的な錠装置と同様の構成となっている。 【００３３】
次に、図２に示した本実施例１の分解斜視図、図３（a）に示した本実施例１の要部の平面構成を示した図、図３（ｂ），（ｃ）に示した本実施例１の要部の断面構成を示した図を用いて本実施例１の構成を詳しく説明する。なお、図３は基枠１０に作動枠３０が閉止された状態を示したものである。ここで、図３（ｂ）は図３(a)のＡ−Ａ断面図であり、図３（ｃ）はピン８０の状態を示すための断面図である。 【００３４】
図２に示したように基枠１０には、溝部１１、係止突起１２，係合口１３の他に、作動枠３０の軸受口３１に挿入される基軸２０の軸受口と、ピン２１が挿入される長穴５と、作動杆２２挿入される挿入口１６が設けられている。【００３５】
長穴１５に挿入されるピン２１は、連結金具２３のピン孔２３ａと、連結金具２４のピン孔２４ａとに挿入されるものである。連結金具２３の下端部は基枠１０の挿入口１７に挿入され、連結金具２３は基枠１０によって揺動自在に支持される。【００３６】
連結金具２４のピン孔２４ｂには、ピン２５が挿入され、このピン２５はピン支持金具２６によって作動枠３０に回勅自在の状態で装着される。作動杆２２は、連結金具２３の挿人口２３ｂと基枠１０の挿入口１６に挿入され、その一端が連結金具２３に係止された状態で、コイルバネ２７が装着される。このコイルバネ２７は、図３(a)〜（ｃ）に示したようにナット２８によって作動杆２２に装着されている。 【００３７】
コイルバネ２７，作動杆２２，連結金具２３，連結金具２４は共動して、作動枠３０が所定角度以上開くとさらに開く方向に作動枠３０に対して力を及ぼし、前述した所定角度以下のときは作動枠３０に対して閉じる方向に力を及ぼす。【００３８】
作動枠３０には、ピン２５を装着するためのピン支持金具２６の他、図１に示したかばんの蓋１０１の係合金具１０２と係合する突片３２と、後に詳述する摺動部材４０をその長手方向に摺動自在な状態で装着するための底板３３とがビスによって固定されている。【００３９】
３６は、摺動部材４０を作動枠３０の自出端方向に付勢するコイルバネである。６０は、作動枠３０に摺動自在に装着された摺動部材４０の上面と、作動枠３０の天板部３５の下面との間に形成される空間に外部から挿入可能な形態に形成された錠である。【００４０】
この鍵６０と摺動部材４０との構成を図４を用いて説明する。摺動部材４０には、基枠１０に係合する爪片４１とシリンダ錠５０が配設されている。シリンダ錠５０は、摺動部材４０の一部に形成されている外筒５１と、この外筒５１の内部で回勅可能な内筒５２と、内筒５２の下端部にボルト５４によって固定されており内筒５２と共に回勅して基枠１０の係止突起１２に係合可能な逆Ｔ字状の錠止片５３とによって構成されている。【００４１】
コイルバネ５５は、一端が外筒５１に固定され、他端が内筒５２に固定されるものであり、このコイルバネ５５によってシリンダ錠５０は、施錠状態に維持される。内筒５２の上面には、鍵６０の先端部が当接する操作杆５２ａが配設されており、鍵６０の挿入に伴って内筒５２が反時計方向に回転して、シリンダ錠５０は施錠状態から解錠状態に移行する。【００４２】
シリンダ錠５０の上面の中央部には、コイルバネ５６によって上方向に付勢されている係止突起５７が突設されている。この係止突起５７は、摺動部材４０に固定される押圧板５８によって上方向への移動が規制されており、コイルバネ５６の弾性力に抗する下方向への移動のみが可能となっている。【００４３】
係止突起５７の上面はテーパー状に形成されており、鍵６０の挿入に伴って係止突起５７は下方向に移動する。内筒５２が反時計方向に回転してシリンダ錠５０が解錠状態になると、錠６０の係合口６１が係止突起５７の上方に位置し、係止突起５７はコイルバネ５６の弾性力で上方に移動し鍵６０の係合口６１に嵌合して鍵６０を摺動部材４０に係止する。このような係止突起５７と、鍵６０の係合口６１とによって、本実施例１の鍵係止機構は構成されている。【００４４】
鍵６０の係合口６１には錠６０の先端部に至る切欠部６２が形成されている。この切欠部６２は、係合口６１に嵌合している係止突起５７を下方向に移動させて、錠６０と摺動部材４０との係止状態を解除する錠係止解除機構に係る押圧片の通路となるものである。【００４５】
次に鍵係止解除機構の構成について、図３と図５を用いて説明する。ここで図５(a),(b)は作動枠３０の上部の天板部３５の平面構成を示した図である。【００４６】
図３において、係止突起５７を下方に押圧して鍵６０の係止状態を解除する押圧片は、作動枠３０の天板部３５に摺動自在に装着される前カバー７０と後カバー７１とにそれぞれ配設されている。即ち前カバー７０には下方に延在する押圧片７０ａが配設され、後カバー７１には下方に延在する押圧片７１ａが配設されている。【００４７】
作動枠３０の天板部３５には、図５(a),(b)に示すようなその長手方向（作動枠３０の固定端から自出端に至る方向）に延在する溝部３５ａが設けられており、図３に示す押圧片７０ａ,７１aは共に溝部３５ａを貫通して下方に延在している。 【００４８】
図３において、前カバー７０と後カバー７１とは、天板部３５に蔵置された状態で、後カバー７１が前カバー７０に対して横方向（長手方向に直交する方向）に若干移動できるように接続金具７３によって接続されている。【００４９】
前カバー７０には、天板部３５の下側に位置するカバー係止金具７４が装着されており、このカバー係止金具７４によって前カバー７０および後カバー７１は長手方向に摺動可能な状態で天板部３５に装着されている。また、後カバー７１の押圧片７１ａの下端部には、一端がピン７５により作動枠３０に固定されているコイルバネ７６の他端部が固定されており、このコイルバネ７６の付勢力によって前カバー７０および後カバー７１の前方向への移動は抑制されている。【００５０】
図５（ｂ）に示したような状態で前カバー７０および後カバー７１をコイルバネ７６の弾性力に抗して前方向に移動させると、押圧片７０ａ,７１aが係止突起５７を下方に押し下げて、鍵６０の係止状態が解除される。以上が本実施例１の錠係止解除機構の構成である。なお、後カバー７１の押圧片７１ａが図５(a)に示した位置にあるときは、後カバー７１の前方向への移動が規制されるので、後カバー７１を図５（ｂ）に示すように横方向に移動させてから前カバー７０および後カバー７１を前方向に移動させる。【００５１】
ここで、本実施例１に設けられている爪片係止機構の構成について説明する。この爪片係止機構は、鍵６０が錠装置から外れている施錠状態においては、基枠１０の係合口１３に係合している爪片４１の移動を規制して、爪片４１と基枠１０との係合状態を維持する機構である。このような爪片係止機構を設けておけば、何らかの原因で施錠状態にあるシリンダ錠５０が壊れたとしても、錠装置の施錠状態は維持されることになる。【００５２】
本実施例１の爪片係止機構について図２ないし図４を用いて説明する。この爪片係止機構は、摺動部材４０に装着するために作動枠３０に固定されている底板３３と、摺動部材４０と、こめ両者の間に介設された磁石ピン８０と、磁石ピン８０を付勢するコイルバネ８１とによって構成されている。【００５３】
図２に示すように、摺動部材４０の下面側には、磁石ピン８０と、この磁石ピン８０を下方に付勢するコイルバネ８１とを共に収納可能な複数個のピン収納凹部４２が穿設されている。また、図３（ｃ）に示すように作動枠３０の閉止状態において、前記した複数個のピン収納凹部４２と対向する底板３３の上面には磁石ピン８０が嵌合可能なピン係合凹部３４が穿設されている。ここで図３（ｃ）に示した状態においては、鍵６０が摺動部材４０に係止されており、磁石ピン８０の上方にはこれらの磁石ピン８０を吸引するように配設されている鍵６０の磁石ピン６３が位置している。従って磁石ピン８０はピン収納凹部４２に収納されており、磁石ピン８０は底板３３のピン係合凹部３４に嵌合していない。従って、このような摺動部材４０に鍵６０が係止されている状態においては、摺動部材４０および鍵６０は作動枠３０の固定端側に移動可能な状態となっている。【００５４】
このような状態から、先に説明した鍵係止解除機構を用いて鍵６０の係止状態を解除して錠装置から鍵６０を外すと、コイルバネ８１に付勢されて磁石ピン８０は底板３４のピン係合凹部３４に嵌合する。このように摺動部材４０と底板３３との問に磁石ピン８０が位置すると、この磁石ピン８０の存在により、摺動部材４０箱定端側に移動することができず、従って爪片４２と基枠１０との係合状態は維持されることとなる。【００５５】
ここで、図２，図３（ｃ）の存在により、摺動部材４０は固定端側に移動することが１０との係合状態は維持されることになる。 
図４に示した９０は、コイルバネ９１によって上方に付勢されている係止突起であり、押圧板９２によって、摺動部材４０の上面に突出した状態に装着される。この係止突起９０は、押圧板９２によって上方への移動が規制されており、コイルバネ９１の恰陛力に抗して下方向にのみ移動させることができる。【００５６】
図３（ｃ）に示した鍵６０の係止状態においては、係止突起９０は、鍵６０の下面側に配設されている係合凹部６４に係合している。この鍵６０の係合凹部６４および係止突起９０は、先に説明した鍵係止解除機構により鍵６０の係止状態が解除されると、シリンダ錠５０の内筒５１が、伸びているコイルバネ５５の復元力により時計回りに回転し、こ
の内筒５１の上面の操作杆５２ａによって鍵６０が外側に押し出されるので、このときｌ６０が錠装置から飛び出してしまわないようにするために設けられているものである。次に、以上のように構成された本実施例１の動作について図を用いて説明する。【００５７】
先ず、作動枠３０が閉止されている図３に示した状態においては、作動枠３０に固定されている突片３２は、図１に示すかばんの蓋１０１の係合金具１０２に係合してかばんの蓋１０１を拘束している。【００５８】
また、図３に示した作動枠３０の閉止状態においては、鍵６０は係止突起５７によって摺動部材４０に係止されており、摺動部材４０と一体化して作動枠３０の長手方向に摺動可能な状態となっている。本実施例１においては、外部に露出している鍵６０の先端部が
爪片１３の操作ボタンの機能を果たすように構成されている。 【００５９】
このような状態において、前カバー７０および後カバー７１をコイルバネ７６の付勢力に抗して前方向に移動させると、押圧片７０ａ,７１aが係止突起５７を下方に押し下げ、係止突起５７と錠６０との係合状態を解除すると共に、シリンダ錠の内筒５２が伸びているコイルバネ５５の復元力によって時計回りに回転し、シリンダ錠の錠止片５３が基枠１０に係合して本実施例１は、施錠状態となる。このような施錠状態のときには、図３（ｃ）に示す磁石ピン８０はコイルバネ８１に付勢されて底板３３のピン係合凹部３４に嵌合する。このように磁石ピン８０が摺動部材４０と底板３３との間に位置することにより、摺動部材４０の移動が規制されるので、施錠状態においては爪片４１と基枠１０どの係合状態は維持される。このような本実施例１の施錠状態を図６に示す。図６（ｂ）は図６(a)のＡ−Ａ断面図である。 【００６０】
図６に示した施錠状態において、錠６０を再び摺動部材４０の上部に挿入した状態を図７に示す。 【００６１】
図７に示した状態から、鍵６０をさらに固定端の方向（基軸２０の方向）に挿入すると、鍵６０の先端部がシリンダ錠の内筒５２の操作杆５２ａに当接して、コイルバネ５５の付勢力に抗して内筒５２を反時計方向に回転させ錠止片５３と基枠１０との係合が解除
されて、本実施例１は図３（ａ）〜（ｃ）に示す解錠状態となる。 【００６２】
図３に示す解錠状態においては、鍵６０は係止突起５７により摺動部材４０に係止されており、磁石ピン８０は鍵６０の磁石ピン６３に吸引されて底板３３のピン係合凹部３４に嵌合していないので、鍵６０と摺動部材４０は一体となって作動枠３０の長手方向に移動可能な状態となっている。【００６３】
このような図３に示す状態で、外部に露出している鍵６０の先端部をコイルバネ３６の力に抗して押し込むと、図８に示すように摺動部材４０が基軸２０の方向に移動して基枠１０の係合口１３から爪片４１が外れる。【００６４】
この図８に示した状態で突片３２を含む作動枠３０が基軸２０の自出端を上に持ち上げると、図９に示したようにＯを中心として上方に移動する。 【００６５】
このように図９に示した状態のときには、図１に示すかばんの蓋１０１の係合金具１０２は突片３２と係合していないので、かばんの蓋１０１は自出に開閉することができる。【００６６】
次に本発明に係るかばんの錠装置の実施の形態の第２の例について説明する。図１０は本発明の第２の実施の形態例に係る錠装置を示す構成図、図１１は図１０に示した錠装置に鍵が差し込まれた解錠状態を示す図、図１２は図１０に示した錠装置において摺動部材を摺動させ爪片を基枠から外した状態を示す図、図１３は図１０に示した錠装置においてか作動枠を基枠から開いた状態を示す図、図１４は図１０に示した錠装置の鍵を示す図、図１５は図１０に示した錠装置の錠駆動機構を示す図。図１６は図１５に示した錠駆動機構の作動を示す図である。本例において、錠装置の基本的構成およびシリンダ錠２４０の構成は、上述した第１の例と同様である。【００６７】
即ち、本例に係る錠装置２００は、上述した第１の例と同様に、かばんの本体に基枠２１０を、かばんの蓋には作動枠２３０が配置されており、作動枠２３０は基枠２１０に対して軸２１１で軸支されており、仰伏動可即ち開閉可能に、配設されている。また、この作動枠２３０にはシリンダ錠２４０と、このシリンダ錠２４０を駆動する錠駆動機構２５０が設けられている。【００６８】
錠駆動機構２５０は鍵２８０を前記作動枠２３０内に作動枠２３０の自由端側部から固定端側へ向けて設けた挿抜路２３１に挿抜されることにより駆動され、前記シリンダ錠２４０の錠止片２４１を回転駆動させ、基枠２１０の係合部と係合、離脱させることにより、施錠解錠を行う。【００６９】
また、作動枠２３０内には、作動枠２３０の自由端側から固定端側に摺動する摺動部材２６０が設けられおり、この摺動部材２６０には、前記シリンダ錠２４０と、錠駆動機構２５０と、上述した第１の例と同様の爪片２７０が取り付けられている。本例では、この摺動部材２６０は前記作動枠２３０内に配置した鍵２８０を押し込むことにより前記シリンダ錠２４０が解錠状態となった後において摺動し、爪片２７０と基枠２１０の係合部２１２の係合を解除することができる。なお摺動部材２６０は図示外のスプリングにより常時作動枠の自由端側に付勢されている。また、摺動部材２６０には鍵２８０が所定位置まで進入したとき当接して鍵２８０のそれ以上の進入を止める停止部材２６１が設けられている。また、この停止部材２６１には、当接した鍵２８０を反進入方向に付勢するコイルスプリング２６２を設けている。【００７０】
本例では、鍵２８０の操作で錠装置２００を以下の４つの状態とすることができる。 【００７１】
「施錠状態」：鍵２８０が錠装置２００に挿入されておらず、シリンダ錠の錠止片２４１が基枠２１０に係合し、かつ、爪片２７０が係合部２１２に係合している状態（図１０）。本例では、作動枠２３０の挿抜路２３１には、正規の鍵２８０以外の鍵の進入を禁止する挿入規制部２３３が設けられている。この挿入規制部２３３は前記第１の例と同様に挿入規制部２３３側に配置した磁石ピン、鍵２８０に配置した磁石により、正しい鍵２８０のみの進入を許可する。【００７２】
、 
「解錠状態」：鍵２８０が錠装置２００の挿抜路２３１に挿入されて、シリンダ錠の錠止片２４１が基枠２１０から解除され、かつ、爪片２７０が係合部２１２に係合（ラッチ）している状態（図１１）。この状態において、鍵２８０は、錠駆動機構２５０により保持され、取り外すことができない。この鍵２８０をさらに奥に押し込むと、錠駆動機構２５０は鍵２８０の保持状態を解除し、鍵２８０を挿抜路２３１から抜き出すことができ、鍵２８０を抜き出した状態で錠装置２００は上記「施錠状態」となる、【００７３】
「アンラッチ状態」：鍵２８０が錠装置２００に挿入保持されて、シリンダ錠の錠止片２４１が基枠２１０から解除され、かつ、爪片２７０が係合部２１１に係合していない（アンラッチ）状態。この状態は、上記「解錠状態」において鍵２８０をさらに押し込み、停止部材２６１に当接させ、摺動部材２６０を摺動させることにより実現する。この状態で作動枠２３０は軸２１１を中心して開方向に回動できるようになる。【００７４】
「作動枠開状態」：鍵２８０が錠装置２００に挿入保持されて、シリンダ錠の錠止片２４１が基枠２１０から解除され、かつ、爪片２７０が係合部２１１に係合しておらず（アンラッチ状態）、作動枠２３０が開いた状態（図１３）【００７５】
次に本例に係る錠駆動機構２５０と鍵２８０について説明する。本例では錠駆動機構２５０と鍵２８０との間には、鍵２８０の抜き差し動作により、錠装置２００を「施錠状態」から「解錠状態」にするカム機構が構成されている。【００７６】
即ち、鍵２８０は、金属板８８１に所定形状の溝部２９０が形成されている。なお、鍵２８０には、記磁石式の規制機構に使用される磁石配置部２８２が形成されている。【００７７】
錠駆動機構２５０には、図１５に示すように、鍵２８０の進入方向に直交する方向に設けられたスライド溝２５１と、このスライド溝２５１内を摺動するスライダ２５２と、スライダ２５２に立設され前記鍵２８０の溝部２９０に係合する駆動ピン２５３とが配置されている。また、この駆動ピン２５３は前記スライダ２５２に弾性体で上下方向に移動可能に保持されている。本例では、前記スライダ２５２はシリンダ錠２４０に接続され、錠止片２４１を回動させ、施錠解錠を行う。また、本例では、スライダ２５２は圧縮バネ２５４で付勢され常時はシリンダ錠２４０が施錠される位置（図中左端実線で示した）に配置される。【００７８】
次に鍵２８０の挿入によるスライダ２５２の移動状態について説明する。まず鍵２８０の溝部２９０の形状について説明する。本例では図１５に示すように、溝部２９０は鍵２８０が挿入されたとき駆動ピン２５３に最初に接触して、スプリングの付勢力に抗してスライダ２５２を移動させる斜面部２９１と、２つの段部を備えた略Ｍ字状の溝部２９２と、駆動ピン２５３から鍵２８０を外す離脱溝部２９３とを備える。Ｍ字状の溝部２９２は第１の段部２９４と、第２の段部２２５と、２つの保持凹部２９６，２９７を備える。離脱溝部２９３は、鍵２８０を抜くときに駆動ピン２５３が通過する通過溝部２９８と、鍵２８０と駆動ピン２５３とを分離する傾斜面２９９を備える。【００７９】
次に鍵２８０の挿入と駆動ピン２５３の移動について説明する。図１６は、鍵２８０を固定して駆動ピン２５３の位置を移動して表示したものである。実際には、鍵２８０が移動され、駆動ピン２５３は鍵２８０の挿入方向に直交する方向にのみ移動する。鍵２８０を挿抜路２３１に挿入すると、錠駆動機構２５０の駆動ピン２５３は斜面部２９１に接触して、図１６に示すように、位置２５３−１、位置２５３−２、位置２５３−３と移動する。これにより、駆動ピン２５３は、図１６中のａ（施錠位置）からｂまで移動したこととなる。鍵２８０が挿入され停止部材２６１に当接すると、鍵２８０は前記コイルスプリング２６２で押し戻され、駆動ピン２５３が圧縮バネ２５４で付勢され、駆動ピン２５３は段部２９４を乗り越えｂからｃ（解錠状態）まで移動し、保持凹部２９６で保持される。【００８０】
これにより、スライダ２５２が移動され、錠駆動機構２５０のシリンダ錠２４０の錠止片２４１が駆動され、錠装置２００は「施錠状態」から「解錠状態」となる。 【００８１】
この状態では、鍵２８０は駆動ピン２５３に係合しており、引き抜けない状態であり、鍵を内部に保持したままで錠装置２００の解錠状態を維持する。この状態において、鍵を押し込むことによりスライダを移動させて「アンラッチ状態」とし、さらに作動枠を開いて「作動枠開状態」とし、かばんの蓋を開くことができる。【００８２】
次に、上記「施錠状態」において、鍵２８０をコイルスプリング２６２に抗してさらに押し込むと、駆動ピン２５３は保持凹部２９５から圧縮バネ２５４で付勢され保持凹部２９６に移動して保持される。これにより、駆動ピン２５３は位置２５３−４から、位置２５３−５を経て位置２５３−５に移動する。このこれにより、駆動ピン２５３はａ（施錠位置）に戻り、鍵２８０を引き抜くことができるようになる。駆動ピン２５３は通過溝部２９７，傾斜面２９８を通過し、駆動ピン２５３と鍵２８０の係合が解除できる。【００８３】
本例では、鍵２８０の挿入による施解錠操作、鍵の押し込みによるアンラッチ操作において使用者は、鍵２８０を介して駆動ピン２５３がカムの段差を乗り越える手応えを感じることができ確かな手応えを持って錠装置の操作を行うことができる。【００８４】
また、本例に係る錠装置２００によれば、鍵の挿入操作、挿入状態で押し込み操作により、錠装置２００を施解錠することができる。また、本例によれば、施錠状態において、鍵２８０は錠装置２００から取り外されることがなく、鍵の紛失などの不具合を解消できる。【００８５】
次に本発明に係るかばんの錠装置の実施の形態の第３の例について説明する。図１７は本発明の第３の実施の形態例に係る錠装置を示す構成図、図１８は図１７に示した錠装置に鍵が差し込まれた解錠状態を示す図、図１９は図１０に示した錠装置において摺動部材を摺動させ爪片を基枠から外した状態を示す図、図２０は図１７に示した錠装置においてか作動枠を基枠から開いた状態を示す図、図２１は図１７に示した錠装置の錠駆動機構を示す図、図２２は図１７に示した錠装置の色板を示す図。図２３は図１５に示した錠駆動機構の作動を示す図、図２４は図１７に示した錠装置に使用する鍵を示す図である。本例において、錠装置の基本的構成およびシリンダ錠２４０の構成は、上述した第１の例と同様である。【００８６】
即ち、本例に係る錠装置３００は、上述した第１の例と同様に、かばんの本体に基枠３１０を、かばんの蓋には作動枠３３０が配置されており、作動枠３３０は基枠３１０に対して軸３１１で軸支されており、仰伏動可即ち開閉可能に、配設されている。また、この作動枠３３０にはシリンダ錠３４０と、このシリンダ錠３４０を駆動する錠駆動機構３５０が設けられている。【００８７】
錠駆動機構３５０は鍵３８０を前記作動枠３３０内に作動枠３３０の自由端側部から固定端側へ向けて設けた挿抜路３３１に挿抜されることにより駆動され、前記シリンダ錠２４０の錠止片３４１を回転駆動させ、基枠３１０の係合部と係合、離脱させることにより、施錠解錠を行う。なお、図１７中符号３３２は回動自在に設けられた挿抜路３３１の蓋部材である。【００８８】
また、作動枠３３０内には、作動枠３３０の自由端側から固定端側に摺動する摺動部材３６０が設けられおり、この摺動部材３６０には、前記シリンダ錠３４０と、錠駆動機構３５０と、上述した第２の例と同様の爪片３７０が取り付けられている。本例では、この摺動部材３６０は前記作動枠３３０内に配置した鍵３８０を押し込むことにより前記シリンダ錠３４０が解錠状態となった後において摺動し、爪片３７０と基枠３１０の係合部３１２の係合を解除することができる。なお摺動部材３６０は図示外のスプリングにより常時作動枠の自由端側に付勢されている。また、摺動部材３６０に配置される錠駆動機構３５０には鍵３８０が所定位置まで進入したとき当接して鍵３８０のそれ以上の進入を止める当接部３６１が設けられている。【００８９】
また、本例では、錠駆動機構３５０の上部には、薄い金属板に例えば赤、緑の２色の着色部を設けた色板３９０を配置している。この色板３９０は図２２に示すように、板状部材に２個所の着色部３９１，３９２を配置したものであり、摺動部材３６０と連動し、作動枠３３０の上部に開設された観察孔部３６２から前記着色部３９１，３９２のいずれかが表示される。本例では錠駆動機構３５０が施錠状態で赤、解錠状態で緑が表示される。【００９０】
本例では、鍵３８０の操作により錠装置３００を以下の４つの状態にすることができる。 【００９１】
「施錠状態」：鍵３８０が錠装置３００に挿入されておらず、シリンダ錠の錠止片３４１が基枠３１０に係合し、かつ、爪片３７０が係合部３１２に係合している状態（図１７）。本例では、作動枠３３０の挿抜路３３１には、正規の鍵２８０以外の鍵の進入を禁止する挿入規制部３３３が設けられている。この挿入規制部３３３は前記第２の例と同様に挿入規制部３３３側に配置した磁石ピン、鍵３８０に配置した磁石により、正しい鍵３８０のみの進入を許可する。本例では、鍵３８０は図２４に示すように、板状部材に磁石配置部３８１を形成したものである。なお、符号３８３は屈曲部、３８４はキーホルダ用の穴を示している。【００９２】
、 
「解錠状態」：鍵３８０が錠装置３００の挿抜路３３１に挿入されて、錠駆動機構３５０が作動しシリンダ錠３４０の錠止片３５１が基枠３１０から解除され、かつ、爪片３７０が係合部３１２に係合（ラッチ）している状態（図１８）。本例では、この状態において、鍵３８０は、取り外すことができる。この鍵３８０をさらに奥に押し込むと、鍵３８０は錠駆動機構３５０の当接部３６１に当接して摺動部材３６０を押し下記の「アンラッチ状態」になる。【００９３】
「アンラッチ状態」：鍵３８０が錠装置３００に挿入保持されて、シリンダ錠の錠止片３４１が基枠３１０から解除され、かつ、爪片３７０が係合部３１２に係合していない（アンラッチ）状態（図１９）。この状態では、上記「解錠状態」において鍵３８０をさらに押し込み、錠駆動機構３５０の当接部３６１に当接させ、摺動部材３６０を摺動させることにより実現する。この状態で作動枠３３０は軸３１１を中心して開方向に回動できるようになる。【００９４】
「作動枠開状態」：鍵３８０が錠装置３００に挿入保持されて、シリンダ錠３４０の錠止片３４１が基枠３１０から解除され、かつ、爪片３７０が係合部３１２に係合しておらず（アンラッチ状態）、作動枠３３０が開いた状態（図２０）【００９５】
次に本例に係る錠駆動機構３５０について説明する。本例では錠駆動機構３５０は、鍵３８０の押し込み動作により、錠装置３００を「施錠状態」から「解錠状態」にするカム機構が構成されている。【００９６】
即ち、錠駆動機構３５０にはカム板４００が配置されている。このカム板４００は金属板で構成され、図２１に示すように、所定形状のカム溝４１０と挿入規制部３３３をなす磁石ピン取付孔３３４が開設される他、色板３９０が取り付けられるねじ穴３３５が形成されてなる。また、【００９７】
錠駆動機構３５０、前記カム板４００のカム溝４１０に係合してシリンダ錠３４０を駆動するシリンダ錠駆動機構４３０を備える。このシリンダ錠駆動機構４３０は図２５に示すように、カム板４００の移動方向に直交する方向に設けられたスライド溝４３１と、このスライド溝４３１内を摺動するスライダ４３２と、スライダ４３２に立設され前記カム板４００のカム溝４１０に係合する駆動ピン４３３とが配置されている。また、この駆動ピン３５３は前記スライダ５２に弾性体で上下方向に移動可能に保持されている。本例では、前記スライダ４３２はシリンダ錠３４０に接続され、錠止片３４１を回動させ、施錠解錠を行う。また、本例では、スライダ４３２は圧縮バネ４３４で付勢され常時はシリンダ錠３４０が施錠される位置（図中左端実線で示した）に配置される。【００９８】
次に鍵３８０を挿入して、カム板４００を移動させたときの状態について説明する。本例では、カム板４００のカム溝４１０の形状は上述した第２の例の鍵２８０の溝部２９０の形状と略同一である。本例では図２３に示すように、カム溝４１０は常時駆動ピン４３３が挿入されており、鍵３８０によりカム板４００が移動されたとき駆動ピン４３３を横方向に移動させる傾斜溝４１１と、２つの段部を備えた略Ｍ字状の溝部４１２と、駆動ピン３５３から鍵２８０を外す離脱溝部とを備える。【００９９】
カム溝４１０は当初、駆動ピン４３３が収納され、カム板４００が鍵３８０に押されて移動したとき、駆動ピン４３３を移動させる傾斜溝４１１と、２つの段部を備えた略Ｍ字状の溝部４１２と、駆動ピン３５３を前記傾斜溝４１１に戻す離脱溝部４１３とを備える。Ｍ字状の溝部４１２は第１の段部４１４と、第２の段部４１５と、２つの保持凹部４１６，４１７を備える。離脱溝部４１３は、直線溝部４１８と、駆動ピン４３３を押し込む傾斜面４１９を備える。【０１００】
次に鍵２８０の挿入と駆動ピン２５３の移動について説明する。図２３はカム板４００を固定して駆動ピン４３３の位置を移動して表示したものである。実際には、カム板４００が移動され、駆動ピン４３３はカム板４００の移動方向に直交する方向に移動する。当初、鍵３８０が挿抜路３３１に挿入されていない状態において、駆動ピン４３３は傾斜溝４１１の位置４３３−１に配置され、錠装置３００は施錠状態である。このとき観察孔部３６２には色板３９０の赤が表示されている。鍵３８０を挿抜路３３１に挿入して押し込むと、シリンダ錠駆動機構４３０のカム板４００は移動して駆動ピン４３３は傾斜溝４１１内を移動する。位置２５３−１、位置２５３−２、位置２５３−３と移動する。これにより、駆動ピン４３３は、図２３中のａ（施錠位置）からｂまで移動したこととなる。この状態で鍵３８０の押し込みをやめると、カム板４００はコイルスプリングで押し戻され、駆動ピン４３３が圧縮バネ４３４で付勢され、駆動ピン４３３は段部４１４を乗り越えｂからｃ（解錠状態）まで移動し、保持凹部４１６で保持される。【０１０１】
これにより、スライダ４３２が移動され、シリンダ錠駆動機構４３０によりシリンダ錠３４０の錠止片３４１が駆動され、錠装置３００は「施錠状態」から「解錠状態」となる。これにより錠装置３００は解錠状態となり、観察孔部３６２には色板３９０の緑が表示される。またこのとき、鍵３８０には前記シリンダ錠駆動機構４３０の作動ショックおよび作動音が伝わり、操作者は鍵の操作感を得ることができる。【０１０２】
この状態において、鍵３８０を差し込み、さらに鍵３８０を押し込むことにより摺動部材を移動させて「アンラッチ状態」とし、さらに作動枠を開いて「作動枠開状態」とし、かばんの蓋を開くことができる。また、本例では上記「施錠状態」で、鍵３８０は自由に引き抜くことができる状態であり、鍵３８０を引き抜くことにより錠装置３００の「施錠状態」を維持することができる。【０１０３】
次に、上記「施錠状態」において、鍵３８０をさらに押し込むと、駆動ピン４３３は保持凹部４１５から圧縮バネ４３４で付勢され保持凹部４１６に移動して保持される。これにより、駆動ピン４３３は位置４３３−４から、位置４４３−５を経て位置２５３−１に移動する。このこれにより、駆動ピン２５３はａ（施錠位置）に戻る。この際、駆動ピン４３３は直線溝部４１８、傾斜面４１９を通過し位置４３３―１に戻ることとなる。これにより錠装置３００は施錠状態となり、観察孔部３６２には色板３９０の赤が表示される。またこのとき、鍵３８０には前記シリンダ錠駆動機構４３０の作動ショックおよび作動音が伝わり、操作者は鍵の操作感を得ることができる。
【図面の簡単な説明】
【０１０４】
【図１】本発明の実施の形態例に係る錠装置の外部構成を示した斜視図である。
【図２】図１に示した実施の形態例に係る錠装置の分解斜視図である。
【図３】図１に示した実施の形態例に係る錠装置の内部構成を示した構成図である。
【図４】図１に示した実施の形態例に係る錠装置の要部の分解斜視図である。
【図５】図１に示した実施の形態に係る錠装置の作動枠の上部の平面構成を示す平面図である。
【図６】図１に示した実施の形態例に係る動作説明図である。
【図７】図１に示した実施の形態例に係る錠装置の動作説明図である。
【図８】図１に示した実施の形態例に係る錠装置の動作説明図である。
【図９】図１に示した実施の形態に係る錠装置の動作説明図である。
【図１０】本発明の第２の実施の形態例に係る錠装置を示す構成図である。
【図１１】図１０に示した錠装置の解錠状態を示す図である。
【図１２】図１０に示した錠装置のアンラッチ状態を示す図である。
【図１３】図１０に示した錠装置において作動枠が開状態となっている状態を示す図である。
【図１４】図１０に示した錠装置の鍵を示す図である。
【図１５】図１０に示した錠駆動機構の構成を示す斜視説明図である。
【図１６】図１０に示した錠装置のカムの作動を示す図である。
【図１７】本発明の第３の実施の形態に係る錠装置を示す図である。
【図１８】図１７に示した錠装置のアンラッチ状態を示す図である。
【図１９】図１７に示した錠装置のアンラッチ状態を示す図である。
【図２０】図１７に示した錠装置において作動枠が開状態となっている状態を示す図である。
【図２１】図１７に示したシリンダ錠駆動機構を示す図である。
【図２２】図１７に示した色板を示す図である。
【図２３】図１７に示したシリンダ錠駆動機構のカムの作動を示す図である
【図２４】図１７に示した錠装置の鍵を示す図である。
【図２５】図１７に示したシリンダ錠駆動機構の構成を示す斜視説明図である。
【図２６】従来のかばんの錠装置の内部構成図である。
【図２７】図２０に示した錠装置の平面構成を示す平面図である。
【図２８】図２０に示した錠装置に使用される錠の構成図である。
【符号の説明】
【０１０５】
１０  基枠 
１１，３５ａ  溝部 
１２  係止突部 
１３  係合口 
１４，３１  軸受口 
２０  基軸 
３０  作動枠 
３２  突片 
３３  底板 
３４  ピン係合凹部 
３５  天板部 
４０  摺動部材 
４１  爪片 
４２  ピン収納部 
５０  シリンダ錠 
５１  外筒 
５２  内筒 
５２ａ  操作粁 
５３  係止片 
５６，８１，９１  コイルバネ 
５７，９０  係止突起 
６０  鍵 
６１  係合口 
６２  切欠部 
６３，８０  磁石ピン 
６４  係合凹部 
７０  前カバー 
７０a，７１a  押圧片 
７１  後カバー 
７４  カバー係止金具 
１００  かばんの本体 
１０１  かばんの蓋 
１０２  係合金具 
２００  錠装置 
２１０  基枠 
２１１  軸 
２１２  係合部 
２３０  作動枠 
２３１  挿抜路 
２３３  挿入規制部 
２４０  シリンダ錠 
２４１  錠止片 
２５０  錠駆動機構 
２５１  スライド溝 
２５２  スライダ 
２５３  駆動ピン 
２５４  圧縮バネ 
２６０  摺動部材 
２６１  停止部材 
２６２  コイルスプリング 
２７０  爪片 
２８０  鍵 
２８２  磁石配置部 
２９０  溝部 
２９１  斜面部 
２９２  溝部 
２９３  離脱溝部 
３００  錠装置 
３１０  基枠 
３１１  軸 
３１２  係合部 
３３０  作動枠 
３３１  挿抜路 
３３３  挿入規制部 
３４０  シリンダ錠 
３４１  錠止片 
３５０  錠駆動機構 
３５１  錠止片 
３５３  駆動ピン 
３６０  摺動部材 
３６１  当接部 
３６２  観察孔部 
３７０  爪片 
３８０  鍵 
３８１  磁石配置部 
３９０  色板 
３９１，３９２  着色部 
４００  カム板 
４１０  カム溝 
４１１  傾斜溝 
４１２  溝部 
４１３  離脱溝部 
４３０  シリンダ錠駆動機構 
４３１  スライド溝 
４３２  スライダ 
４３３  駆動ピン 
【図１】
2006022240.tif 000002
【図２】
2006022240.tif 000003
【図３】
2006022240.tif 000004
【図４】
2006022240.tif 000005
【図５】
2006022240.tif 000006
【図６】
2006022240.tif 000007
【図７】
2006022240.tif 000008
【図８】
2006022240.tif 000009
【図９】
2006022240.tif 000010
【図１０】
2006022240.tif 000011
【図１１】
2006022240.tif 000012
【図１２】
2006022240.tif 000013
【図１３】
2006022240.tif 000014
【図１４】
2006022240.tif 000015
【図１５】
2006022240.tif 000016
【図１６】
2006022240.tif 000017
【図１７】
2006022240.tif 000018
【図１８】
2006022240.tif 000019
【図１９】
2006022240.tif 000020
【図２０】
2006022240.tif 000021
【図２１】
2006022240.tif 000022
【図２２】
2006022240.tif 000023
【図２３】
2006022240.tif 000024
【図２４】
2006022240.tif 000025
【図２５】
2006022240.tif 000026
【図２６】
2006022240.tif 000027
【図２７】
2006022240.tif 000028
【図２８】
2006022240.tif 000029
【国際調査報告】
2006022240.tif 000030
2006022240.tif 000031
2006022240.tif 000032
2006022240.tif 000033
2006022240.tif 000034
2006022240.tif 000035
2006022240.tif 000036
2006022240.tif 000037